(57)【要約】【課題】本考案は、脱水作業を自動的に連続して行うことができると共に脱水作業の効率化を図ることができる上部投入上部排出型連続自動遠心脱水機を提供する。【解決手段】上部投入上部排出型連続自動遠心脱水機１０の胴部１４の胴部円筒体１６の上部側面には排出ホッパー２４が連通状態で設けられている。外胴１４の内部にはバスケット取付回転体４０が回転可能に配設されている。バスケット取付回転体４０にはバスケット取付支柱４８が立設されている。バスケット取付支柱４８の内側にはバスケット５０が配設され、バスケット５０はバスケット取付支柱４８と固定されている。バスケット５０の側面部５４にはガイドレール５６が形成されている。バスケット５０内には上下動プレート６０が上下動可能に配設されている。上下動プレート６０の外周面にはガイド収容凹部６２が形成され、ガイドレール５６が収容されている。【選択図】図１
0003185877.tif 000002
【実用新案登録請求の範囲】
【請求項１】
有底で筒状の外胴と、この外胴の外胴天板部に開口形成された投入開口部と、前記外胴の上部側面に外胴と連通状態で設けられた排出ホッパーと、前記外胴の内部に外胴と同軸状に配設されると共に回転可能に配設されたバスケット取付回転体と、このバスケット取付回転体の外縁部に設けられたバスケット取付支柱と、このバスケット取付支柱の内側に配設されると共に前記バスケット取付支柱と固定された円筒状のバスケットと、前記バスケットの側面部の内側面に上下方向に向かって形成されたガイドレールと、前記バスケット内に上下動可能に配設された上下動プレートと、この上下動プレートの外周面に形成されると共に前記ガイドレールが収容されるガイド収容凹部と、を有してなることを特徴とする上部投入上部排出型連続自動遠心脱水機。
【請求項２】
有底で筒状の外胴と、この外胴の外胴天板部に開口形成された投入開口部と、前記外胴の上部側面に外胴と連通状態で設けられた排出ホッパーと、前記外胴の内部に外胴と同軸状に配設されると共に回転可能に配設されたバスケット取付回転体と、このバスケット取付回転体の外縁部に設けられたバスケット取付支柱と、このバスケット取付支柱の内側に配設されると共に前記バスケット取付支柱と固定された円筒状のバスケットと、前記バスケットの側面部の内側面に上下方向に向かって形成されたガイドレールと、前記バスケット内に上下動可能に配設されると共に上昇すると前記排出ホッパーの入口部に対応する位置に移動可能な上下動プレートと、この上下動プレートの外周面に形成されると共に前記ガイドレールが収容されるガイド収容凹部と、を有してなることを特徴とする上部投入上部排出型連続自動遠心脱水機。
【請求項３】
有底で筒状の外胴と、この外胴の外胴天板部に開口形成された投入開口部と、前記外胴の上部側面に外胴と連通状態で設けられた排出ホッパーと、前記外胴の内部に外胴と同軸状に配設されると共に回転可能に配設されたバスケット取付回転体と、このバスケット取付回転体の外縁部に設けられたバスケット取付支柱と、このバスケット取付支柱の内側に配設されると共に前記バスケット取付支柱と固定された円筒状のバスケットと、前記バスケットの側面部の内側面に上下方向に向かって形成されたガイドレールと、前記バスケット内に上下動可能に配設されると共に上昇すると前記排出ホッパーの入口部に対応する位置に移動可能な上下動プレートと、この上下動プレートの外周面に形成されると共に前記ガイドレールが収容されるガイド収容凹部と、前記バスケット取付回転体を回転させるモーターと、このモーターに接続されて前記モーターの回転速度や回転時期及び前記上下動プレートの上下動移動を調整する制御装置と、を有してなることを特徴とする上部投入上部排出型連続自動遠心脱水機。
【考案の詳細な説明】
【技術分野】
【０００１】
本考案は、主に野菜等の食材を脱水する場合に使用する遠心脱水機に関し、詳しくは連続して自動的に脱水、排出を行うことができる上部投入上部排出型連続自動遠心脱水機に関する。
【背景技術】
【０００２】
食品材料等に使用される野菜等を脱水する場合に使用される遠心脱水機が従来より広く知られている（特許文献１）。
しかし、従来の遠心脱水機で前記野菜を脱水する場合は、遠心脱水機の外胴に内設されているバスケットに脱水する野菜を投入し、遠心脱水機の外胴に内設されているバスケットを高速回転させて遠心力を利用して野菜の脱水を行っている。
そして、野菜の脱水が完了したらバスケットの回転を停止させて作業者が前記外胴からバスケットを取り出して脱水した野菜を適宜の野菜収容容器に移し替えている。
このため、従来の遠心脱水機においては脱水する野菜を遠心脱水機に投入してから脱水、排出するまで一連で連続して行うことができないと共に前記脱水作業、排出作業の途中で人手が必要になるという不具合がある。
また、重いバスケットを取り出したり、運んだりするため労力的にも負担が大きいという不具合がある。
【先行技術文献】
【特許文献】
【０００３】
【特許文献１】登録実用新案登録公報第３０６０６２７号
【考案の概要】
【考案が解決しようとする課題】
【０００４】
本考案は、上記事実に鑑みなされたものであり、脱水作業、排出作業を人手を介さずに自動的に連続して行うことができると共に脱水作業、排出作業の効率を向上させることができ、労力負担を軽減できる上部投入上部排出型連続自動遠心脱水機を提供するものである。
【課題を解決するための手段】
【０００５】
請求項１の考案は、有底で筒状の外胴と、この外胴の外胴天板部に開口形成された投入開口部と、前記外胴の上部側面に外胴と連通状態で設けられた排出ホッパーと、前記外胴の内部に外胴と同軸状に配設されると共に回転可能に配設されたバスケット取付回転体と、このバスケット取付回転体の外縁部に設けられたバスケット取付支柱と、このバスケット取付支柱の内側に配設されると共に前記バスケット取付支柱と固定された円筒状のバスケットと、前記バスケットの側面部の内側面に上下方向に向かって形成されたガイドレールと、前記バスケット内に上下動可能に配設された上下動プレートと、この上下動プレートの外周面に形成されると共に前記ガイドレールが収容されるガイド収容凹部と、を有してなることを特徴としている。
請求項２の考案は、有底で筒状の外胴と、この外胴の外胴天板部に開口形成された投入開口部と、前記外胴の上部側面に外胴と連通状態で設けられた排出ホッパーと、前記外胴の内部に外胴と同軸状に配設されると共に回転可能に配設されたバスケット取付回転体と、このバスケット取付回転体の外縁部に設けられたバスケット取付支柱と、このバスケット取付支柱の内側に配設されると共に前記バスケット取付支柱と固定された円筒状のバスケットと、前記バスケットの側面部の内側面に上下方向に向かって形成されたガイドレールと、前記バスケット内に上下動可能に配設されると共に上昇すると前記排出ホッパーの入口部に対応する位置に移動可能な上下動プレートと、この上下動プレートの外周面に形成されると共に前記ガイドレールが収容されるガイド収容凹部と、を有してなることを特徴としている。
請求項３の考案は、有底で筒状の外胴と、この外胴の外胴天板部に開口形成された投入開口部と、前記外胴の上部側面に外胴と連通状態で設けられた排出ホッパーと、前記外胴の内部に外胴と同軸状に配設されると共に回転可能に配設されたバスケット取付回転体と、このバスケット取付回転体の外縁部に設けられたバスケット取付支柱と、このバスケット取付支柱の内側に配設されると共に前記バスケット取付支柱と固定された円筒状のバスケットと、前記バスケットの側面部の内側面に上下方向に向かって形成されたガイドレールと、前記バスケット内に上下動可能に配設されると共に上昇すると前記排出ホッパーの入口部に対応する位置に移動可能な上下動プレートと、この上下動プレートの外周面に形成されると共に前記ガイドレールが収容されるガイド収容凹部と、前記バスケット取付回転体を回転させるモーターと、このモーターに接続されて前記モーターの回転速度や回転時期及び前記上下動プレートの上下動移動を調整する制御装置と、を有してなることを特徴としている。
【考案の効果】
【０００６】
本考案の上部投入上部排出型連続自動遠心脱水機は、脱水する物を投入した後は人手を介さずに連続して脱水作業、排出作業を行うことができるという優れた効果を有する。
本考案の上部投入上部排出型連続自動遠心脱水機は、連続して脱水作業、排出作業を行うことができるので脱水作業、排出作業効率を向上させることができるという優れた効果を有する。
また、本考案の上部投入上部排出型連続自動遠心脱水機は、人手を介さず連続して脱水作業、排出作業を行うことができるので衛生的に脱水作業、排出作業を行うことができるという優れた効果を有する。
また、本考案の上部投入上部排出型連続自動遠心脱水機は、人手を介さず連続して脱水作業、排出作業を行うことができるので肉体的負担軽減、労力軽減を図ることができるという優れた効果を有する。
【図面の簡単な説明】
【０００７】
【図１】実施例の上部投入上部排出型連続自動遠心脱水機の概略縦断面図である。
【図２】実施例の上部投入上部排出型連続自動遠心脱水機の全体斜視図である。
【図３】実施例の上部投入上部排出型連続自動遠心脱水機の一部拡大平面図である。
【考案を実施するための形態】
【０００８】
考案を実施するために最良の形態の例として以下のような実施例を示す。
【実施例１】
【０００９】
図１〜図３には本考案に係る上部投入上部排出型連続自動遠心脱水機１０の一実施例が示されている。
図２に示されるように、上部投入上部排出型連続自動遠心脱水機１０には柱状の支持スタンド１２が等間隔で３本立設されている。これら支持スタンド１２の内側には有底で筒状の外胴１４が配設され、外胴１４は支持スタンド１２に支持されている。この外胴１４は外胴円筒体１６と有底の外胴ケーシング体１８とから構成されている。この外胴円筒体１６と外胴ケーシング体１８とは適宜固定手段で固定され、この固定手段を解除することによって外胴円筒体１６と外胴ケーシング体１８を分離できるようになっている。
前記外胴円筒体１６の外胴天板部２０には投入開口部２２が開口形成され、この投入開口部２２から脱水する物を前記外胴１４内部に投入できるようになっている。
また、前記外胴円筒体１６の上部側面には外胴１４内で脱水された物を外胴１４の外部に排出する排出ホッパー２４が連通状態で設けられている。図１に示されるように、この排出ホッパー２４は外胴１４と連通状態になっている。
図２に示されるように、前記ケーシング体１８の下部には排水パイプ２６が設けられ、排水パイプ２６を開けることにより脱水作業で前記外胴１４内に溜まった水を排水できるようになっている。
図１に示されるように、前記外胴ケーシング体１８の中央部には同軸状にプーリー取付筒体２８が形成されている。
また、前記外胴ケーシング体１８の底面部には同軸状にシリンダー筒体取付台３０が固定されている。このシリンダー筒体取付台３０にはシリンダー取付筒３２が形成されている。このシリンダー取付筒３２の中央部には上下作動用シリンダーとしての上下作動用エアシリンダー３４が挿入状態で固定されている。
この上下作動用エアシリンダー３４のピストンロッド３６は上下方向に移動可能になっている。このピストンロッド３６の上部にはピストン連結部３８が設けられている。
前記外胴１４の内部には外胴１４と同軸状に円板状のバスケット取付回転体４０が回転可能に配設されている。
このバスケット取付回転体４０の中央にはプーリーシャフト４４Ａが貫通状態で固定されている。このプーリーシャフト４４Ａは前記プーリー取付筒体２８に挿入されている。また、プーリーシャフト４４Ａの下端部にはプーリー４４Ｂが形成されている。前記プーリーシャフト４４Ａとプーリー取付筒体２８との間にはボールベアリング４６が配設されている。
また、前記バスケット取付回転体４０の外縁部にはバスケット取付支柱４８が等間隔で複数本立設されている。
これらバスケット取付支柱４８の内側には円筒状のバスケット５０が配設されている。このバスケット５０は前記バスケット取付支柱４８と適宜固定手段で固定されている。
前記バスケット５０の上面はバスケット開口部５２が形成され、前記投入開口部２２から投入された野菜等が前記バスケット５０内に投入されるようになっている。
前記バスケット５０の側面部５４には小さい水切孔（図示せず）が多数貫通形成されている。これにより、前記バスケット５０内に投入された物から遠心力で飛ばされた水滴等は水切孔を通過して、バスケット５０から出るようになっている。
前記バスケット５０の側面部５４の内側面にはガイドレール５６が上下方向に向かって形成されている。なお、この実施例ではこのガイドレール５６は等間隔で３個形成されている。
前記バスケット５０内には平面視円形状の上下動プレート６０が上下方向に移動可能に配設されている。この上下動プレート６０の直径寸法は前記バスケット５０の内径寸法よりも僅かに小径に形成されている。
図３に示されるように、前記上下動プレート６０の外周面にはガイド収容凹部６２が形成されている。なお、この実施例ではこのガイド収容凹部６２は等間隔で３個形成されている。このガイド収容凹部６２には前記ガイドレール５６が収容されている。従って、前記上下動プレート６０が上下動する場合は前記ガイドレール５６にガイドされるようになっている。
図１に示されるように、前記上下動プレート６０の中央部の底面にはピストン挿入部６４が形成されている。このピストン挿入部６４には前記ピストン連結部３８が挿入状態で取り付けられている。従って、前記上下作動用エアシリンダー３４のピストンロッド３６が上下方向に移動するとピストンロッド３６によって前記上下動プレート６０も上下動するようになっている。
なお、前記ピストンロッド３６が伸長すると上下動プレート６０は図１に想像線で示す位置まで上昇し、ピストンロッド３６が縮小すると上下動プレート６０は図１に実線で示す位置まで下降するようになっている。
また、上下動プレート６０が図１に想像線で示す位置まで上昇すると上下動プレート６０に載置されて脱水される物は排出ホッパー２４の入口部２４Ａと対応するようになっている。
前記ピストン挿入部６４と前記ピストン連結部３８との間にはボールベアリング６６が設けられている。
図２に示されるように、前記外胴１４の横には公知のモーター７０が配設されている。このモーター７０の下部にはモータープーリー（図示せず）が設けられ、前記プーリー４４ＢとモータープーリーはＶベルト（図示せず）を介して連動するようになっている。
従って、前記モーター７０を回転させることにより、前記バスケット取付回転体４０と上下動プレート６０を回転させることができるようになっている。
前記外胴１６の横には公知の制御装置７２が配設されている。この制御装置７２は前記モーター７０の回転時や回転時期、前記ピストンロッド３６は伸縮タイミング等を調整する機能を有している。
【００１０】
次に、洗浄した裁断野菜を上部投入上部排出型連続自動遠心脱水機１０を使用して脱水する場合を例にして作用を説明する。
上部投入上部排出型連続自動遠心脱水機１０を使用して洗浄した裁断野菜（図示せず）を脱水する場合は、制御装置７２のメインスイッチをオンにしてモーター７０を回転させてプーリーシャフト４４Ａ、バスケット取付回転体４０、バスケット５０、上下動プレート６０を低速回転（この実施例では１００回転／分）させる。
この状態で、洗浄した裁断野菜を上部投入上部排出型連続自動遠心脱水機１０の投入開口部２２から投入し、バスケット５０に投入する。
前記裁断野菜のバスケット５０への投入が完了したら前記制御装置７２がモーター７０を高速回転させてプーリーシャフト４４Ａ、バスケット取付回転体４０、バスケット５０、上下動プレート６０を高速回転（この実施例では１０００回転／分）させる。
前記バスケット５０、上下動プレート６０の高速回転によりバスケット５０内の裁断野菜は高速回転し、裁断野菜に付着している水分は遠心力により外方に飛びはじけ、野菜の脱水を行うことができる。なお、飛びはじけた水分はバスケット５０の側面部５４の水切孔から外胴１４の内側に溜る。
裁断野菜の脱水作業が終了したら前記制御装置７２がモーター７０を低速回転させることにより、バスケット取付回転体４０、バスケット５０、上下動プレート６０を低速回転させる。
また、前記制御装置７２は前記上下作動用エアシリンダー３４のピストンロッド３６を上昇させて前記上下動プレート６０を上昇させる（図１想像線に示す位置）。なお、この上下動プレート６０は前記ガイドレール５６にガイドされるので安定して上昇することができる。
上下動プレート６０が図１想像線に示す位置に上昇すると上下動プレート６０に載置状態の裁断野菜は前記排出ホッパー２４の入口部２４Ａと対応する。
この結果、上下動プレート６０に載置状態で回転している裁断野菜は遠心力により排出ホッパー２４の入口部２４Ａに送り込まれ、排出ホッパー２４の出口部２４Ｂから排出される。
前記排出ホッパー２４の出口部２４Ｂから排出された裁断野菜は出口部２４Ｂの下方に予め置かれている収容容器（図示せず）に自動的に収容される。
なお、裁断野菜から水切りされて外胴１４内に溜った水分は排水パイプ２６のバルブを開けることにより外胴１４から排水させる。
従って、上部投入上部排出型連続自動遠心脱水機１０は裁断野菜を投入開口部２２に投入すれば、人手を介さずに脱水作業、排出作業を一連で連続して自動的に行うことができる。
このため、野菜の脱水作業、排出作業を連続して自動的に行うことができると共に脱水作業、排出作業の作業効率を一段と向上させることができる。
また、上部投入上部排出型連続自動遠心脱水機１０は裁断野菜を投入開口部２２から投入すれば、脱水作業、排出作業を一連で連続して人手を介さずに自動的に行うことができるので野菜をより衛生的に脱水することができる。
さらに、上部投入上部排出型連続自動遠心脱水機１０は裁断野菜を投入開口部２２から投入すれば、脱水作業、排出作業を人手を介さずに自動的に行うことができるので、従来のように作業者がバスケット等を持ち上げたり運んだりする重労働を無くすことができるため作業者の足腰等の肉体にかかる負担や労力を大幅に軽減することができる。
【００１１】
なお、実施例では上部投入上部排出型連続自動遠心脱水機１０を使用して裁断野菜の脱水を行う場合を示したが、脱水するのは裁断野菜に限定されるものではなく、他の食材や他の物を脱水してもよいことは勿論である。
また、実施例では上下作動用シリンダーとして上下作動用エアシリンダー３４を使用したが、上下作動用シリンダーはエアシリンダーに限定されるものでなく油圧シリンダー等他の構成のシリンダーを使用してもよいことは勿論である。
なお、実施例では前記上下動プレート６０を回転させる場合、高速回転を１０００回転／分、低速回転を１００回転／分としたが、これは一例であり高速回転及び低速回転は前記回転数に限定されるものでないことは勿論である。
【産業上の利用可能性】
【００１２】
本考案の上部投入上部排出型連続自動遠心脱水機１０は、脱水だけでなく脱油をする場合にも使用することができる。
【符号の説明】
【００１３】
１０    上部投入上部排出型連続自動遠心脱水機
１２    支持スタンド
１４    外胴
１６    外胴円筒体
１８    外胴ケーシング体
２０    外胴天板部
２２    投入開口部
２４    排出ホッパー
２４Ａ  入口部
２４Ｂ  出口部
２６    排水パイプ
２８    プーリー取付筒体
３０    シリンダー筒体取付台
３２    シリンダー取付筒
３４    上下作動用エアシリンダー
３６    ピストンロッド
３８    ピストン連結部
４０    バスケット取付回転体
４４Ａ    プーリーシャフト
４４Ｂ    プーリー
４６    ボールベアリング
４８    バスケット取付支柱
５０    バスケット
５２    バスケット開口部
５４    側面部
５６    ガイドレール
６０    上下動プレート
６２    ガイド収容凹部
６４    ピストン挿入部
６６    ボールベアリング
７０    モーター
７２    制御装置
【図１】
0003185877.tif 000003
【図２】
0003185877.tif 000004
【図３】
0003185877.tif 000005